(57)【要約】【課題】想定される平板電極同士の相対的な位置ずれが発生した場合であっても、平行板コンデンサの所望の静電容量を確保する。【解決手段】非接触ＩＣカード１０に適用されるコンデンサＣ１，Ｃ２である。コンデンサＣ１，Ｃ２は、フィルム基材１１の主面１１ａに配置された主面電極２１と、主面電極２１と対面すると共にフィルム基材１１の厚み方向から見て主面電極２１を覆うようにフィルム基材１１の裏面１１ｂに配置された裏面電極３１と、を備える。主面電極２１の外周面には、凹状の曲面である面取り部２３ｂが設けられ、裏面電極３１の外周面には、凹状の曲面であり、面取り部２３ｂに対応する面取り部３３ｂが設けられる。面取り部２３ａの曲率半径は、第２の面取り部の曲率半径以下である、コンデンサ。【選択図】図１
2017187976.tif 000002
【特許請求の範囲】
【請求項１】
フィルム基材と、前記フィルム基材に設けられたアンテナコイルと、前記フィルム基材に設けられると共に前記アンテナコイルに電気的に接続されたＩＣチップと、を含む非接触型情報媒体に適用されるコンデンサであって、
前記フィルム基材の主面に配置された第１の平板電極と、
前記第１の平板電極と対面すると共に前記フィルム基材の裏面に配置された第２の平板電極と、を備え、
前記第１及び前記第２の平板電極の一方は、前記フィルム基材の厚み方向から見て前記第１及び前記第２の平板電極の他方を覆い、
前記第１の平板電極の外周面には、凹状の曲面である第１の面取り部が設けられ、
前記第２の平板電極の外周面には、凹状の曲面であり、前記第１の面取り部に対応する第２の面取り部が設けられ、
前記第１及び前記第２の平板電極の他方における凹状の曲面である前記面取り部の曲率半径は、前記第１及び前記第２の平板電極の一方における凹状の曲面である前記面取り部の曲率半径以下である、コンデンサ。
【請求項２】
前記第１の平板電極の外周面には、凸状の曲面である第３の面取り部がさらに設けられ、
前記第２の平板電極の外周面には、凸状の曲面であり、前記第３の面取り部に対応する第４の面取り部がさらに設けられ、
前記第１及び前記第２の平板電極の他方における凸状の曲面である前記面取り部の曲率半径は、前記第１及び前記第２の平板電極の一方における凸状の曲面である前記面取り部の曲率半径以上である、請求項１に記載のコンデンサ。
【請求項３】
フィルム基材と、
前記フィルム基材の主面に設けられると共に、渦巻き形状を有するアンテナコイルと、
前記フィルム基材の主面に設けられると共に前記アンテナコイルと電気的に接続されたＩＣチップと、
前記アンテナコイルの内側終端及び外側終端の少なくとも一方に電気的に接続され、前記フィルム基材の主面に配置された第１の平板電極と、
前記第１の平板電極と対面すると共に前記フィルム基材の裏面に配置された第２の平板電極と、を備え、
前記第１及び前記第２の平板電極の一方は、前記フィルム基材の厚み方向から見て前記第１及び前記第２の平板電極の他方を覆い、
前記第１の平板電極の外周面には、凹状の曲面である第１の面取り部が設けられ、
前記第２の平板電極の外周面には、凹状の曲面であり、前記第１の面取り部に対応する第２の面取り部が設けられ、
前記第１及び前記第２の平板電極の他方における凹状の曲面である前記面取り部の曲率半径は、前記第１及び前記第２の平板電極の一方における凹状の曲面である前記面取り部の曲率半径以下である、非接触型情報媒体。
【請求項４】
前記第１の平板電極の外周面には、凸状の曲面である第３の面取り部がさらに設けられ、
前記第２の平板電極の外周面には、凸状の曲面であり、前記第３の面取り部に対応する第４の面取り部がさらに設けられ、
前記第１及び前記第２の平板電極の他方における凸状の曲面である前記面取り部の曲率半径は、前記第１及び前記第２の平板電極の一方における凸状の曲面である前記面取り部の曲率半径以上である、請求項３に記載の非接触型情報媒体。
【請求項５】
前記第１の平板電極は、前記アンテナコイルの内側終端に接続された第１の内側電極部と、前記アンテナコイルの外側終端に接続された第１の外側電極部と、を有し、
前記第２の平板電極は、前記フィルム基材を挟んで前記第１の内側電極部に対面する第２の内側電極部と、前記フィルム基材を挟んで前記第１の外側電極部に対面する第２の外側電極部と、前記第２の内側電極部と前記第２の外側電極とを電気的に接続するジャンパ部と、を有し、
前記ジャンパ部の幅は、前記第２の内側電極又は前記第２の外側電極の幅と等しい、請求項３又は４に記載の非接触型情報媒体。
【請求項６】
フィルム基材と、前記フィルム基材に設けられたアンテナコイルと、前記フィルム基材に設けられると共に前記アンテナコイルと電気的に接続されたＩＣチップとを含む非接触型情報媒体に適用されるコンデンサであって、
前記フィルム基材の主面に配置された第１の平板電極と、
前記第１の平板電極と対面すると共に前記フィルム基材の裏面に配置された第２の平板電極と、を備え、
前記第１及び前記第２の平板電極の一方は、前記フィルム基材の厚み方向から見て前記第１及び前記第２の平板電極の他方を覆い、
前記第１の平板電極の外周面には、凸状の曲面である第５の面取り部が設けられ、
前記第２の平板電極の外周面には、凸状の曲面であり、前記第５の面取り部に対応する第６の面取り部が設けられ、
前記第１及び前記第２の平板電極の他方における凸状の曲面である前記面取り部の曲率半径は、前記第１及び前記第２の平板電極の一方における凸状の曲面である前記面取り部の曲率半径以上である、コンデンサ。
【発明の詳細な説明】
【技術分野】
【０００１】
本発明は、コンデンサ及び非接触型情報媒体に関する。
【背景技術】
【０００２】
従来、ＨＦ帯（例えば１３．５６ＭＨｚ）の信号を用いて無線通信を行う非接触ＩＣカード等のＲＦＩＤ媒体（非接触型情報媒体）が知られている（例えば特許文献１参照）。このようなＲＦＩＤ媒体のアンテナコイルのアンテナパターンは、外部装置との間で無線通信を行うための機能要件を満たしていれば、基本的には自由な形状に設計することが許容されている。
【０００３】
ただし、ＲＦＩＤ媒体が取り付けられる対象物の形状又は特定の規格の要件を満たすために、アンテナパターンに一定の制限がかかる場合がある。例えば、ISO/IEC14443-1のClass1として定められた規格では、アンテナコイルの内側に形成される開口部（配線パターンが設けられない領域）を確保するために、アンテナパターンを配置可能なエリアが定められている。具体的には、上記規格では、アンテナパターンを配置可能なエリアは、縦４９ｍｍ×横８１ｍｍの矩形形状領域のうち、当該領域の中央位置を中心とする縦３４ｍｍ×横６４ｍｍの略矩形形状領域を除いた環状のエリアと定められている。
【０００４】
この環状のエリアに配置されたアンテナパターンは、平面視して渦巻き状の形状を有する。従って、アンテナパターンの一端は渦巻き形状部の外側に配置され、アンテナパターンの他端は渦巻き形状部の内側に配置される。これらアンテナパターンの一端と他端とは、電気的に接続する必要がある。アンテナパターンはフィルム基材の一方の面に設けられる。そこで、フィルム基材の他方の面を利用して、他方の面にアンテナパターンの一端と他端とを電気的に接続する配線パターンを設けることがある。
【０００５】
ここで、フィルム基材は絶縁体であるので、一方の面に設けられたアンテナパターンと、他方の面に設けられた配線パターンとを電気的に接続する構成が必要である。例えば、フィルム基材に貫通孔を設け、貫通孔を介してアンテナパターンと他方の面に設けられた配線パターンとを直接に接触させることがある。また、アンテナパターンには高周波信号が生じるので、コンデンサを利用すればアンテナパターンと配線パターンとを直接に接触させることなく、電気的に接続することができる。例えば、アンテナパターンの端部に平板電極を設けると共に配線パターンの端部にも平板電極を設け、平行板コンデンサを形成する。この平行板コンデンサを介して、アンテナパターンと配線パターンとが電気的に接続される。
【先行技術文献】
【特許文献】
【０００６】
【特許文献１】特開２００４−３５５４４２号公報
【発明の概要】
【発明が解決しようとする課題】
【０００７】
平行板コンデンサの静電容量は、一対の平板電極が互いに対面する面積に基づく。ここでフィルム基材上に平行板コンデンサを作成するときには、一方の平板電極の位置に対して他方の平板電極の位置がずれることがある。平板電極同士の相対的な位置がずれると、互いに対面する面積が少なくなるので、平行板コンデンサの静電容量が所望の値よりも小さくなってしまう。しかし、一対の平行板コンデンサの作成において、平板電極同士の相対的な位置ずれをゼロにすることは困難である。
【０００８】
本発明は、上述した課題を解決するためのものであり、想定される平板電極同士の相対的な位置ずれが発生した場合であっても、平行板コンデンサの所望の静電容量を確保することができるコンデンサ及び非接触型情報媒体を提供することを目的とする。
【課題を解決するための手段】
【０００９】
本発明の一形態は、フィルム基材と、フィルム基材に設けられたアンテナコイルと、フィルム基材に設けられると共にアンテナコイルに電気的に接続されたＩＣチップと、を含む非接触型情報媒体に適用されるコンデンサであって、フィルム基材の主面に配置された第１の平板電極と、第１の平板電極と対面すると共にフィルム基材の裏面に配置された第２の平板電極と、を備え、第１及び第２の平板電極の一方は、フィルム基材の厚み方向から見て第１及び第２の平板電極の他方を覆い、第１の平板電極の外周面には、凹状の曲面である第１の面取り部が設けられ、第２の平板電極の外周面には、凹状の曲面であり、第１の面取り部に対応する第２の面取り部が設けられ、第１及び第２の平板電極の他方における凹状の曲面である面取り部の曲率半径は、第１及び第２の平板電極の一方における凹状の曲面である面取り部の曲率半径以下である。
【００１０】
このコンデンサは、第１及び第２の平板電極の一方と第１及び第２の平板電極の他方とにより構成される平行板コンデンサである。平行板コンデンサの静電容量は、第１及び第２の平板電極の一方と第１及び第２の平板電極の他方とが互いに対面する面積に基づく。ここで、第１及び第２の平板電極の一方は、第１及び第２の平板電極の他方を覆っているので、コンデンサの静電容量に寄与する面積は、第１及び第２の平板電極の他方の面積に基づく。また、第１及び第２の平板電極の一方が第１及び第２の平板電極の他方を覆っているので、フィルム基材の厚み方向から見たとき、第１及び第２の平板電極の一方に対して第１及び第２の平板電極の他方の位置がずれた場合であっても、第１及び第２の平板電極の他方の全面を第１及び第２の平板電極の一方に対面させることができる。従って、コンデンサは、第１及び第２の平板電極の他方の面積に基づく静電容量を確実に確保することができる。さらに、許容可能なずれ範囲において、第１及び第２の平板電極の一方に対して第１及び第２の平板電極の他方が最も大きくずれたとき、第１の面取り部と第２の面取り部とが重複する。ここで、第１及び第２の平板電極の他方における凹状の曲面である面取り部の曲率半径は、第１及び第２の平板電極の一方における凹状の曲面である面取り部の曲率半径以下であるので、凹状の曲面である第１及び第２の平板電極の一方の面取り部に対して第１及び第２の平板電極の他方の面取り部が必ず内側に存在する。従って、許容可能なずれ範囲において、第１及び第２の平板電極の一方に対して第１及び第２の平板電極の他方が最も大きくずれたときであっても、第１及び第２の平板電極の他方の全面を第１及び第２の平板電極の一方に対面させることができる。従って、コンデンサは、想定される平板電極同士の相対的な位置ずれが発生した場合であっても、所望の静電容量を確保することができる。
【００１１】
第１の平板電極の外周面には、凸状の曲面である第３の面取り部がさらに設けられ、第２の平板電極の外周面には、凸状の曲面であり、第３の面取り部に対応する第４の面取り部がさらに設けられ、第１及び第２の平板電極の他方における凸状の曲面である面取り部の曲率半径は、第１及び第２の平板電極の一方における凸状の曲面である面取り部の曲率半径以上であってもよい。この構成によれば、許容可能なずれ範囲において、第１及び第２の平板電極の一方に対して第１及び第２の平板電極の他方が最も大きくずれたとき、第３の面取り部と第４の面取り部とが重複する。ここで、第１及び第２の平板電極の他方における凸状の曲面である面取り部の曲率半径は、第１及び第２の平板電極の一方における凸状の曲面である面取り部の曲率半径以上であるので、一方の面取り部に対して他方の面取り部が必ず内側に存在する。従って、許容可能なずれ範囲において、第１及び第２の平板電極の一方に対して第１及び第２の平板電極の他方が最も大きくずれたときであっても、第１及び第２の平板電極の他方の全面を第１及び第２の平板電極の一方に対面させることができる。従って、コンデンサは、想定される平板電極同士の相対的な位置ずれが発生した場合であっても、所望の静電容量を確実に確保することができる。
【００１２】
本発明の別の形態に係る非接触型情報媒体はフィルム基材と、フィルム基材の主面に設けられると共に、渦巻き形状を有するアンテナコイルと、フィルム基材の主面に設けられると共にアンテナコイルと電気的に接続されたＩＣチップと、アンテナコイルの内側終端及び外側終端の少なくとも一方に電気的に接続され、フィルム基材の主面に配置された第１の平板電極と、第１の平板電極と対面すると共にフィルム基材の裏面に配置された第２の平板電極と、を備え、第１及び第２の平板電極の一方は、フィルム基材の厚み方向から見て第１及び第２の平板電極の他方を覆い、第１の平板電極の外周面には、凹状の曲面である第１の面取り部が設けられ、第２の平板電極の外周面には、凹状の曲面であり、第１の面取り部に対応する第２の面取り部が設けられ、第１及び第２の平板電極の他方における凹状の曲面である面取り部の曲率半径は、第１及び第２の平板電極の一方における凹状の曲面である面取り部の曲率半径以下である。
【００１３】
この非接触型情報媒体は、上述した第１の平板電極と第２の平板電極とを有する。従って、許容可能なずれ範囲において、第１及び第２の平板電極の一方に対して第１及び第２の平板電極の他方が最も大きくずれたときであっても、第１及び第２の平板電極の他方の全面を第１及び第２の平板電極の一方に対面させることができる。このため、コンデンサにおいて第１及び第２の平板電極の他方の面積に基づく静電容量が確実に確保されるので、アンテナの電気的性能を安定化させることが可能になる。従って、非接触型情報媒体と外部読み書き装置との間の通信性能を安定化させることができる。
【００１４】
第１の平板電極の外周面には、凸状の曲面である第３の面取り部がさらに設けられ、第２の平板電極の外周面には、凸状の曲面であり、第３の面取り部に対応する第４の面取り部がさらに設けられ、第１及び第２の平板電極の他方における凸状の曲面である面取り部の曲率半径は、第１及び第２の平板電極の一方における凸状の曲面である面取り部の曲率半径以上であってもよい。この非接触型情報媒体は、上述した第１の平板電極と第２の平板電極とを有する。従って、許容可能なずれ範囲において、第１及び第２の平板電極の一方に対して第１及び第２の平板電極の他方が最も大きくずれたときであっても、第１及び第２の平板電極の他方の全面を第１及び第２の平板電極の一方に対面させることができる。このため、コンデンサにおいて第１及び第２の平板電極の他方の面積に基づく静電容量がより確実に確保されるので、アンテナの電気的性能をより安定化させることが可能になる。従って、非接触型情報媒体と外部読み書き装置との通信性能をより安定化させることができる。
【００１５】
第１の平板電極は、アンテナコイルの内側終端に接続された第１の内側電極部と、アンテナコイルの外側終端に接続された第１の外側電極部と、を有し、第２の平板電極は、フィルム基材を挟んで第１の内側電極部に対面する第２の内側電極部と、フィルム基材を挟んで第１の外側電極部に対面する第２の外側電極部と、第２の内側電極部と第２の外側電極とを電気的に接続するジャンパ部と、を有し、ジャンパ部の幅は、第２の内側電極又は第２の外側電極の幅と等しくてもよい。この構成によれば、第２の内側電極部、第２の外側電極部及びジャンパ部との間において局所的に応力が増大する領域の発生が抑制される。従って、ジャンパ部の破断を防止することができる。
【００１６】
本発明の別の形態は、フィルム基材と、フィルム基材に設けられたアンテナコイルと、フィルム基材に設けられると共にアンテナコイルと電気的に接続されたＩＣチップとを含む非接触型情報媒体に適用されるコンデンサであって、フィルム基材の主面に配置された第１の平板電極と、第１の平板電極と対面すると共にフィルム基材の裏面に配置された第２の平板電極と、を備え、第１及び第２の平板電極の一方は、フィルム基材の厚み方向から見て第１及び第２の平板電極の他方を覆い、第１の平板電極の外周面には、凸状の曲面である第５の面取り部が設けられ、第２の平板電極の外周面には、凸状の曲面であり、第５の面取り部に対応する第６の面取り部が設けられ、第１及び第２の平板電極の他方における凸状の曲面である面取り部の曲率半径は、第１及び第２の平板電極の一方における凸状の曲面である面取り部の曲率半径以上である。
【００１７】
このコンデンサでは、第１及び第２の平板電極の一方が第１及び第２の平板電極の他方を覆っているので、フィルム基材の厚み方向から見たとき、第１及び第２の平板電極の一方に対して第１及び第２の平板電極の他方の位置がずれた場合であっても、第１及び第２の平板電極の他方の全面を第１及び第２の平板電極の一方に対面させることができる。従って、コンデンサは、第１及び第２の平板電極の他方の面積に基づく静電容量を確実に確保することができる。さらに、許容可能なずれ範囲において、第１及び第２の平板電極の一方に対して第１及び第２の平板電極の他方が最も大きくずれたとき、第５の面取り部に対して第６の面取り部が重複する。ここで、第１及び第２の平板電極の他方における凸状の曲面である面取り部の曲率半径は、第１及び第２の平板電極の一方における凸状の曲面である面取り部の曲率半径以上であるので、凸状の曲面である第５の面取り部に対して凸状の曲面である第６の面取り部が必ず内側に存在する。従って、許容可能なずれ範囲において、第１及び第２の平板電極の一方に対して第１及び第２の平板電極の他方が最も大きくずれたときであっても、第１及び第２の平板電極の一方の全面を第１及び第２の平板電極の他方に対面させることができる。従って、コンデンサは、第１及び第２の平板電極の一方の面積に基づく静電容量をより確実に確保することができる。
【発明の効果】
【００１８】
本発明によれば、想定される平板電極同士の相対的な位置ずれが発生した場合であっても、平行板コンデンサの所望の静電容量を確保することができるコンデンサ及び非接触型情報媒体が提供される。
【図面の簡単な説明】
【００１９】
【図１】図１の（ａ）部は実施形態に係る非接触型情報媒体を主面側からみた斜視図であり、図１の（ｂ）部は実施形態に係る非接触型情報媒体を裏面側からみた斜視図である。
【図２】図２は、図１に示されたアンテナコイルと、主面電極と、裏面電極とを示す分解斜視図である。
【図３】図３は、図１に示された主面電極と裏面電極とを裏面側から平面視した図である。
【図４】図４は、図１に示された非接触型情報媒体の等価回路図である。
【図５】図５は、図１の（ｂ）部に示された領域Ａを拡大し、裏面側から平面視した図である。
【図６】図６の（ａ）部は実施形態に係る電極構造を平面視した図であり、図６の（ｂ）部は比較例に係る電極構造を平面視した図である。
【図７】図７の（ａ）部は実施形態に係る電極構造を平面視した図であり、図７の（ｂ）部は比較例に係る電極構造を平面視した図である。
【図８】図８の（ａ）部は変形例に係る非接触型情報媒体が備えるマークを平面視した図であり、図８の（ｂ）部は別の変形例に係る非接触型情報媒体が備える基準パターンを平面視した図である。
【発明を実施するための形態】
【００２０】
以下、添付図面を参照しながら本発明を実施するための形態を詳細に説明する。図面の説明において同一の要素には同一の符号を付し、重複する説明を省略する。非接触ＩＣカードは、主にＨＦ帯（例えば１３．５６ＭＨｚ）の信号を用いてリーダーライター等の図示しない外部読み書き装置との間でＲＦＩＤ技術を用いて非接触通信を行うことができる非接触型情報媒体である。
【００２１】
非接触ＩＣカード１０は、図１の（ａ）部に示されるように、矩形形状のフィルム基材１１を備える。フィルム基材１１の主面１１ａ上には、ＩＣチップ１２、ＩＣチップ搭載部１３、アンテナコイル１４、主面電極２１（第１の平板電極）が配置される。フィルム基材１１の裏面１１ｂ上には、裏面電極３１（第２の平板電極）が配置される（図１の（ｂ）部参照）。
【００２２】
フィルム基材１１は、例えば、ポリエチレンナフタレート（ＰＥＮ）やポリエチレンテレフタレート共重合体（ＰＥＴ）等の絶縁性や耐久性を備えた材料から構成される。フィルム基材１１の主面１１ａ及び裏面１１ｂには、エッチング等による加工前には金属箔が貼り合わされている。これらの金属箔をエッチング等によって加工することにより、ＩＣチップ搭載部１３、アンテナコイル１４、主面電極２１及び裏面電極３１が形成される。
【００２３】
ＩＣチップ１２は、導通されたアンテナコイル１４を介して無線通信処理を行い、外部読み書き装置との間で所定の信号の授受を行う。ＩＣチップ１２は、例えばＩＤ情報が格納されたＩＣタグ用のものが適用される。ＩＣチップ１２は、ＩＣチップ搭載部１３に搭載される。ＩＣチップ搭載部１３は、フィルム基材１１の主面１１ａ上においてアンテナコイル１４の経路上の任意の場所に配置される。従って、ＩＣチップ１２は、ＩＣチップ搭載部１３を介してアンテナコイル１４に接続される。ＩＣチップ１２をＩＣチップ搭載部１３に搭載する場合には、例えば、超音波融着、熱圧着、導電性接着剤による接着、レーザー溶接等を用いてもよい。
【００２４】
アンテナコイル１４は、外部読み書き装置のアンテナと電磁結合して非接触の無線通信を行うための渦巻き形状のアンテナである。アンテナコイル１４は、この無線通信により、信号の授受及び電力の受給を非接触状態で行う。アンテナコイル１４は、フィルム基材１１の主面１１ａ上に配置された導体から形成される。具体的には、例えば厚さ１５μｍ以上５０μｍ以下のポリエチレンテレフタレート（ＰＥＴ）やポリエチレンナフタレート（ＰＥＮ）等の絶縁性のフィルム基材１１の主面１１ａ側に貼り合わされた厚さ５μｍ以上５０μｍ以下の銅箔又はアルミ箔をエッチングすることにより、矩形形状にパターン形成される。アンテナコイル１４は、その内側終端１４ａにおいてＩＣチップ搭載部１３及びＩＣチップ１２を介して主面内側電極２２（第１の内側電極部）に接続される。また、アンテナコイル１４は、その外側終端１４ｂにおいて主面外側電極２３（第１の外側電極部）に接続される。
【００２５】
図２に示されるように、主面内側電極２２は、フィルム基材１１の主面１１ａ上において、アンテナコイル１４の内側に形成される。主面内側電極２２は、全体としてＬ字状に形成され、フィルム基材１１の厚み方向から見てアンテナコイル１４の内周縁に近接するように配置される。主面内側電極２２は、電極部２４と電極部２６とを有する。電極部２４及び電極部２６はいずれも、フィルム基材１１の厚み方向から見てアンテナコイル１４の内周縁に近接するように配置される。電極部２４は、アンテナコイル１４の長辺方向に沿って延在する。電極部２６は、アンテナコイル１４の長辺方向に直交する短辺方向に沿って延在する。
【００２６】
主面外側電極２３は、フィルム基材１１の主面１１ａ上において、アンテナコイル１４の外側に形成される。主面外側電極２３は、全体としてＬ字状に形成され、フィルム基材１１の厚み方向から見てアンテナコイル１４の外周縁に近接するように配置される。主面外側電極２３は、電極部２７と電極部２８とを有する。電極部２７及び電極部２８はいずれも、フィルム基材１１の厚み方向から見てアンテナコイル１４の外周縁に近接するように配置される。電極部２７は、アンテナコイル１４の長辺方向に沿って延在する。電極部２８は、アンテナコイル１４の短辺方向に沿って延在する。
【００２７】
主面内側電極２２が沿うアンテナコイル１４の部分は、主面外側電極２３が沿うアンテナコイル１４の部分とは異なっている。主面内側電極２２は図示上におけるアンテナコイル１４の上辺及び右辺に沿っている。主面外側電極２３は、図示上におけるアンテナコイル１４の左辺及び下辺に沿っている。すなわち、主面内側電極２２と主面外側電極２３とは、各々が沿うアンテナコイル１４の部分（辺）を共有しない。
【００２８】
主面内側電極２２とアンテナコイル１４の内周縁との間隔、及び主面外側電極２３とアンテナコイル１４の外周縁との間隔は、例えば、アンテナコイル１４同士の同じ周回位置における離間幅と略同一である。ただし、上記間隔は、アンテナコイル１４同士の離間幅より大きくてもよいし、当該離間幅より小さくてもよい。なお、主面内側電極２２及び主面外側電極２３は、アンテナコイル１４と同様に、フィルム基材１１の主面１１ａ側に貼り合わされた金属箔をエッチングすることによりパターン形成される。後述する裏面内側電極３２（第２の内側電極部）及び裏面外側電極３３（第２の外側電極部）も同様に、フィルム基材１１の裏面１１ｂ側に貼り合された金属箔をエッチングすることによりパターン形成される。
【００２９】
裏面内側電極３２は、主面内側電極２２と対をなして、コンデンサＣ１を形成する。裏面内側電極３２は、フィルム基材１１の厚み方向において主面内側電極２２と対向するようにフィルム基材１１の裏面１１ｂ上に配置される。裏面内側電極３２は、全体としてＬ字状に形成され、フィルム基材１１の厚み方向から見てアンテナコイル１４の内周縁に近接するように配置される。裏面内側電極３２は、電極部３４と電極部３６とを有する。電極部３４は、主面内側電極２２と同様に、アンテナコイル１４の長辺方向に沿って延在する。電極部３６は、アンテナコイル１４の短辺方向に沿って延在する。電極部３４は、フィルム基材１１の厚み方向において、主面内側電極２２の電極部２４に対向するように配置される。また、電極部３６は、フィルム基材１１の厚み方向において、主面内側電極２２の電極部２６に対向するように配置される。電極部３４，３６はいずれも、主面内側電極２２の電極部２４，２６と同様に、フィルム基材１１の厚み方向から見てアンテナコイル１４の内周縁に近接するように配置される。
【００３０】
裏面外側電極３３は、主面外側電極２３と対をなして、コンデンサＣ２を形成する。裏面外側電極３３は、全体としてＬ字状に形成され、フィルム基材１１の厚み方向から見てアンテナコイル１４の外周縁に近接するように配置される。裏面外側電極３３は、フィルム基材１１の厚み方向において主面外側電極２３と対向するようにフィルム基材１１の裏面１１ｂ上に配置される。裏面外側電極３３は、電極部３７と電極部３８とを有する。電極部３７は、主面外側電極２３と同様に、アンテナコイル１４の長辺方向に沿って延在する。電極部３８は、アンテナコイル１４の短辺方向に沿って延在する。電極部３７は、フィルム基材１１の厚み方向において、主面外側電極２３の電極部２７に対向するように配置される。電極部３８は、フィルム基材１１の厚み方向において、主面外側電極２３の電極部２８に対向するように配置される。従って、電極部３７，３８はいずれも、主面外側電極２３の電極部２７，２８と同様に、フィルム基材１１の厚み方向から見てアンテナコイル１４の外周縁に近接するように配置される。
【００３１】
上述のように主面電極２１と裏面電極３１とが互いに対向して配置されることにより、主面電極２１と裏面電極３１とがコンデンサ（図４参照）を形成する。具体的には、主面内側電極２２と裏面内側電極３２とがコンデンサＣ１を形成し、主面外側電極２３と裏面外側電極３３とがコンデンサＣ２を形成する。また、本実施形態では一例として、主面電極２１と裏面電極３１とは、フィルム基材１１の厚み方向から見て、主面電極２１が裏面電極３１を完全に覆う。具体的には、主面内側電極２２が裏面内側電極３２を覆い、主面外側電極２３が裏面外側電極３３を覆う。このような平板電極の配置により、主面電極２１の位置に対し、裏面電極３１の位置が製造誤差等によってずれた場合であっても、平行板コンデンサの静電容量が変化することはなく、製品の電気的特性のバラつきを減らす効果が期待できる。
【００３２】
ジャンパ線３９（ジャンパ部）（図１の（ｂ）参照）は、裏面内側電極３２を裏面外側電極３３に電気的に接続する。ジャンパ線３９は、裏面内側電極３２の電極部３６の先端部と裏面外側電極３３の電極部３７の先端側の側部とを連結する。ジャンパ線３９は、フィルム基材１１の厚み方向において、アンテナコイル１４の一部と対向するように配置されるが、好ましくは、アンテナコイル１４と直交するように形成されている。これにより、発生する静電容量を小さくすることができる。なお、ここでいう「直交」は、フィルム基材１１の厚み方向から見た際（フィルム基材１１のアンテナ形成面から透かして見た際）に、アンテナコイル１４とジャンパ線３９とが９０度で交差している場合のみを含む趣旨ではなく、設計上許容されるその前後１０度（８０度〜１００度）の範囲で交差している場合を含む趣旨である。また、前記「直交する配置」については、アンテナコイル１４とジャンパ線３９とが少なくとも交わる部分において「直交」しており、必ずしもジャンパ線３９全体がアンテナコイル１４と「直交」する配置である必要はない。また、ジャンパ線３９は、上記したような直交配置等により、裏面内側電極３２と裏面外側電極３３との間を最短距離で結ぶことができる。これにより、ジャンパ線３９自体の抵抗損失を減らすこともできる。
【００３３】
また、ジャンパ線３９の幅Ｇ１は、裏面内側電極３２の幅Ｇ２と等しい。この構成によれば、局所的に応力が増大する領域の発生が抑制されるので、ジャンパ線３９の破断を防止することができる。
【００３４】
このような構成を有する非接触ＩＣカード１０は、図４に示すような等価回路として表すことができる。つまり、図４に示すように、非接触ＩＣカード１０は、ＩＣチップ１２、アンテナコイル１４、コンデンサＣ１、ジャンパ線３９、及び、コンデンサＣ２がこの順に直列に並ぶ回路を構成する。
【００３５】
以下、平行板コンデンサを形成する主面電極２１と裏面電極３１とについて詳細な構造と、その構造により奏される作用効果について説明する。図５は、図１及び図３における領域Ａを拡大した図である。図５に示されるように、主面外側電極２３は、裏面外側電極３３を完全に覆っている。なお、以下の説明において、Ｘ方向は、フィルム基材１１のための樹脂フィルムロールの搬送方向（いわゆるＭＤ方向）であるとする。Ｙ方向は、樹脂フィルムロールの搬送方向と直交する方向（いわゆるＴＤ方向）であるとする。また、以下の説明では、領域Ａに示された主面電極２１及び裏面電極３１の角部に設けられた面取り部について説明するが、面取り部は領域Ａとは別の場所における主面電極２１及び裏面電極３１の角部に設けられてもよい。
【００３６】
主面外側電極２３の電極部２７の幅Ｗ１は、裏面外側電極３３の電極部３７の幅Ｗ２よりも長さ（２α）だけ大きい。そして、電極部３７が電極部２７の幅方向における中央に配置される位置を、Ｙ方向における裏面外側電極３３の基準位置とする。換言すると、電極部２７の外周面２７ａは電極部３７の外周面３７ａよりも距離（α）だけ外側に位置すると共に、電極部２７の内周面２７ｂは電極部３７の内周面３７ｂよりも距離（α）だけ内側に位置する。
【００３７】
また、主面外側電極２３の電極部２８の幅Ｗ３は、裏面外側電極３３の電極部３８の幅Ｗ４よりも長さ（２β）だけ大きい。そして、電極部３８が電極部２８の幅方向における中央に配置される位置を、Ｘ方向における裏面外側電極３３の基準位置とする。換言すると、電極部２８の外周面２８ａは電極部３８の外周面３８ａよりも距離（β）だけ外側に位置すると共に、電極部２８の内周面２８ｂは電極部３８の内周面３８ｂよりも距離（β）だけ内側に位置する。なお、距離（β）は、距離（α）よりも大きくてもよい。
【００３８】
このような構成によれば、Ｙ方向において距離（±α）の主面電極２１に対する裏面電極の位置公差を設けることができる。また、Ｘ方向において距離（±β）の主面電極２１に対する裏面電極の位置公差を設けることができる。
【００３９】
主面外側電極２３は、電極部２７と電極部２８との間に形成された凸状の面取り部２３ａ（第３の面取り部、第５の面取り部）を有する。電極部２７の長手方向は、電極部２８の長手方向と直交する。従って、電極部２７の外周面２７ａと電極部２８の外周面２８ａとは、互いに直交する。すなわち、外周面２７ａと外周面２８ａとの間の角度は、９０度である。なお、凸状とは、外周面２７ａと外周面２８ａとの間の角度（θ１）が０度より大きく１８０度未満であることをいう（０＜θ１＜１８０）。そして、これら外周面２７ａ，２８ａがなす頂部には、半径（Ｒ２）である曲面状に丸められた面取り部２３ａが設けられる。このような面取りは、いわゆる角Ｒと呼ばれる。同様に、裏面外側電極３３は、電極部３７と電極部３８との間に形成された面取り部３３ａ（第４の面取り部、第６の面取り部）を有する。電極部３７の長手方向は、電極部３８の長手方向と直交する。従って、電極部３７の外周面３７ａと電極部３８の外周面３８ａとは、互いに直交する。すなわち、外周面３７ａと外周面３８ａとの間の角度は、９０度である。そして、これら外周面３７ａ，３８ａがなす頂部には、半径（Ｒ１）である曲面状に丸められた面取り部３３ａが設けられる。
【００４０】
主面外側電極２３は、電極部２７と電極部２８との間に形成された凹状の面取り部２３ｂ（第１の面取り部）を有する。内周面２７ｂと内周面２８ｂとの間の角度は、９０度である。そして、これら内周面２７ｂ，２８ｂがなす角部には、半径（Ｒ４）である曲面状に丸められた面取り部２３ｂが設けられる。同様に、裏面外側電極３３は、電極部３７と電極部３８との間に形成された面取り部３３ｂ（第２の面取り部）を有する。内周面３７ｂと内周面３８ｂとの間の角度は、９０度である。そして、これら内周面３７ｂ，３８ｂがなす角部には、半径（Ｒ３）である曲面状に丸められた面取り部３３ｂが設けられる。なお、凹状とは、内周面２７ｂと内周面２８ｂとの間の角度（θ２）が１８０度より大きく３６０度未満であることをいう（１８０＜θ２＜３６０）。
【００４１】
ここで、裏面電極３１の位置が基準位置からずれた場合を想定する。図６の（ａ）部には、裏面外側電極３３の位置が、基準位置に対して＋Ｙ方向に距離（α）、-Ｘ方向に距離（β）だけずれた例が示される。例えば、図６の（ａ）部に示されるように、裏面外側電極３３が基準位置に対して＋Ｙ方向に距離（α）だけずれると、平面視して外周面２７ａと外周面３７ａとが一致する。裏面電極３１が基準位置に対して−Ｘ方向に距離（β）だけずれると、平面視して外周面２８ａと外周面３８ａとが一致する。
【００４２】
図６の（ｂ）部は、比較例としての電極構造を示す。比較例の電極構造は、本実施形態に係る電極構造に対して、面取り部４３ａ，５３ａの半径の関係が異なっている。具体的には、裏面外側電極５３の面取り部５３ａにおける半径（Ｒ５）は、主面外側電極４３の面取り部４３ａにおける半径（Ｒ６）よりも小さい。このような面取り部４３ａ，５３ａによれば、主面外側電極４３の外周面４７ａ，４８ａと裏面外側電極５３の外周面５７ａ，５８ａとが一致するように裏面外側電極５３が主面外側電極４３に対してずれたとき、裏面外側電極５３の面取り部５３ａが主面外側電極４３の面取り部４３ａよりも外側にはみ出る。そうすると、はみ出た領域Ｓ１の面積だけ、主面外側電極４３と裏面外側電極５３とが対面する面積が減少するので、静電容量が低減してしまう。すなわち、比較例に係る電極構造では、Ｘ方向において主面外側電極４３に対して裏面外側電極５３がはみ出ることがなく、さらに、Ｙ方向において主面外側電極４３に対して裏面外側電極５３がはみ出ることがなくても、主面外側電極４３と裏面外側電極５３とが対面する面積が減少する場合が生じ得る（領域Ｓ１参照）。
【００４３】
一方、図６の（ａ）部は、本実施形態としての電極構造を示す。裏面外側電極３３の面取り部３３ａにおける半径（Ｒ１）は、主面外側電極２３の面取り部２３ａにおける半径（Ｒ２）よりも大きい。従って、裏面外側電極３３の面取り部３３ａが主面外側電極２３の面取り部２３ａよりも外側にはみ出ることがない。すなわち、本実施形態に係る電極構造では、Ｘ方向において主面外側電極２３に対して裏面外側電極３３がはみ出ることがなく、さらに、Ｙ方向において主面外側電極２３に対して裏面外側電極３３がはみ出ることがないならば、主面外側電極２３と裏面外側電極３３とが対面する面積が減少する場合が生じない。従って、所望の静電容量を確保することができる。
【００４４】
なお、平面視して面取り部２３ａから面取り部３３ａがはみ出ることがなければよいので、面取り部２３ａの半径（Ｒ１）と、面取り部３３ａの半径（Ｒ２）と、が等しくてもよい。すなわち、面取り部２３ａの半径（Ｒ１）は面取り部３３ａの半径（Ｒ２）の曲率半径以上であってよい。
【００４５】
主面外側電極２３の内角側と裏面外側電極３３の内角側においても、同様のことがいえる。図７の（ａ）部及び（ｂ）部には、裏面外側電極３３の位置が、基準位置に対して-Ｙ方向に距離（α）、＋Ｘ方向に距離（β）だけずれた例が示される。すなわち、図６に示されたずれとは逆方向のずれである。例えば、図７の（ａ）部に示されるように、裏面外側電極３３が基準位置に対して-Ｙ方向に距離（α）だけずれると、平面視して内周面２７ｂと内周面３７ｂとが一致する。裏面外側電極３３が基準位置に対して＋Ｘ方向に距離（β）だけずれると、平面視して内周面２８ｂと内周面３８ｂとが一致する。
【００４６】
図７の（ｂ）部は、比較例としての電極構造を示す。比較例の電極構造は、本実施形態に係る電極構造に対して、面取り部４３ｂ，５３ｂの半径の関係が異なっている。具体的には、裏面外側電極５３の面取り部５３ｂにおける半径（Ｒ７）は、主面外側電極４３の面取り部４３ｂにおける半径（Ｒ８）よりも大きい。このような面取り部４３ｂ，５３ｂによれば、主面外側電極４３の内周面４７ｂ，４８ｂと裏面外側電極５３の外周面５７ｂ，５８ｂとが一致するように裏面外側電極５３が主面外側電極４３に対してずれたとき、裏面外側電極５３の面取り部５３ｂが主面外側電極４３の面取り部４３ｂよりも外側にはみ出る。そうすると、はみ出た領域Ｓ２の面積だけ、主面外側電極４３と裏面外側電極５３とが対面する面積が減少するので、静電容量が低減してしまう。
【００４７】
一方、図７の（ａ）部は、本実施形態としての電極構造を示す。裏面外側電極３３の面取り部３３ｂにおける半径（Ｒ３）は、主面外側電極２３の面取り部２３ｂにおける半径（Ｒ４）よりも小さい。従って、裏面外側電極３３の面取り部３３ｂが主面外側電極２３の面取り部２３ｂよりも内側にはみ出ることがない。すなわち、本実施形態に係る電極構造では、Ｘ方向において主面外側電極２３に対して裏面外側電極３３がはみ出ることがなく、さらに、Ｙ方向において主面外側電極２３に対して裏面外側電極３３がはみ出ることがないならば、主面外側電極２３と裏面外側電極３３とが対面する面積が減少する場合が生じない。従って、所望の静電容量を確保することができる。
【００４８】
なお、平面視して面取り部２３ｂから面取り部３３ｂがはみ出ることがなければよいので、面取り部３３ｂの半径（Ｒ３）と、面取り部２３ｂの半径（Ｒ４）と、が等しくてもよい。すなわち、面取り部２３ｂの半径（Ｒ３）は面取り部３３ｂの半径（Ｒ４）の曲率半径以下であってよい。
【００４９】
また、非接触ＩＣカード１０では、主面電極２１及び裏面電極３１は、フィルム基材１１の厚み方向から見て、矩形形状の渦巻き状に形成されたアンテナコイル１４の内周縁又は外周縁に近接するように、アンテナコイル１４の長辺方向に沿って延在する電極部２４，２７，３４，３７と、アンテナコイル１４の短辺方向に沿って延在する電極部２６，２８，３６，３８とを有する。このような平板電極の配置により、非接触ＩＣカードの限られた外形サイズの制約の中で、平行平板電極を備えつつ、アンテナコイル１４の開口部（配線パターンが設けられない領域）を確保することが可能となる。
【００５０】
また、非接触ＩＣカード１０では、主面内側電極２２及び裏面内側電極３２が沿うアンテナコイル１４の部分（辺）と、主面外側電極２３及び裏面外側電極３３が沿うアンテナコイル１４の部分（辺）とが異なっている。この場合、アンテナコイル１４の内側に配置された主面内側電極２２及び裏面内側電極３２と、アンテナコイル１４の外側に配置された主面外側電極２３及び裏面外側電極３３とは、各々が沿うアンテナコイル１４の部分を共有しない。つまり、主面内側電極２２及び裏面内側電極３２と主面外側電極２３及び裏面外側電極３３とは、アンテナコイル１４の同一の部分を挟んで隣接しない。これにより、アンテナコイル１４、主面電極２１及び裏面電極３１をフィルム基材１１上にバランス良く配置することができる。具体的には、規格（例えばISO/IEC1443-1のClass1）等で定められている等幅環状のアンテナパターン配置エリアに、アンテナコイル１４及び主面電極２１及び裏面電極３１を収まりよく配置することができる。
【００５１】
なお、上述した実施形態は本発明に係るコンデンサ及び非接触型情報媒体の一例を示すものである。本発明に係るコンデンサ及び非接触型情報媒体は、実施形態に係るコンデンサ及び非接触型情報媒体に限られるものではなく、各請求項に記載した要旨を変更しない範囲で、変形し又は他のものに適用したものであってもよい。
【００５２】
例えば、上述した実施形態では、ＩＣチップ等と同じ面に設けられた一方の電極が、他方の電極を覆っていたが、この構成に限定されない。ＩＣチップ等と同じ面に設けられた一方の電極を、他方の電極が覆っていてもよい。
【００５３】
例えば、主面電極及び裏面電極は、外角部に凸状の面取り部が設けられておらず、内角部のみに凹状の面取り部が設けられていてもよい。逆に、主面電極及び裏面電極は、内角部に凹状の面取り部が設けられておらず、外角部のみに凸状の面取り部が設けられていてもよい。
【００５４】
例えば、図８の（ａ）部に示されるように、主面電極２１と裏面電極３１とのずれが許容範囲であるか否かを識別するためのマーク６１を付してもよい。主面電極２１の一部に窓６２を設ける。マーク６１は、フィルム基材１１の裏面１１ｂに、裏面電極３１と共に設けられ、直径(γ）の円形をなす。裏面電極３１が基準位置に形成された場合には、マーク６１は、窓６２の中央に位置する。窓６２は、Ｙ方向が長さ（２α＋γ）であり、Ｘ方向が長さ（２β＋γ）であるので、マーク６１が窓６２から目視できる場合には、裏面電極３１のずれは、Ｙ方向において距離（±α）以内であり、Ｘ方向において距離（±β）以内であるので、ずれは許容範囲であることがわかる。一方、マーク６１が窓６２から目視できない場合には、ずれが許容範囲でないことがわかる。従って、これらのマーク６１によれば、ずれが許容範囲であるか否かを目視によって容易に判別することができる。
【００５５】
例えば、図８の（ｂ）部に示されるように、主面電極２１と同時に設けられる主面基準パターン６３と、裏面電極３１と同時に設けられる裏面基準パターン６４と、を形成してもよい。裏面基準パターン６４は、一辺が長さ（Δ）の正方形である。裏面電極３１が基準位置に形成された場合には、裏面基準パターン６４は、主面基準パターン６３の中央に位置する。主面基準パターン６３は、Ｙ方向が長さ（２α＋Δ）であり、Ｘ方向が長さ（２β＋Δ）である。従って、裏面基準パターン６４が主面基準パターン６３からはみ出ていない場合には、裏面電極３１のずれは、Ｙ方向において距離（±α）以内であり、Ｘ方向において距離（±β）以内であるので、ずれは許容範囲であることがわかる。一方、裏面基準パターン６４が主面基準パターン６３からはみ出ている場合には、ずれが許容範囲でないことがわかる。従って、これらの主面基準パターン６３及び裏面基準パターン６４によれば、ずれが許容範囲であるか否かを目視によって容易に判別することができる。
【符号の説明】
【００５６】
１０…非接触ＩＣカード、１１…フィルム基材、１１ａ…主面、１１ｂ…裏面、１２…ＩＣチップ、１３…ＩＣチップ搭載部、１４…アンテナコイル、２１…主面電極、３１…裏面電極、２２…主面内側電極（第１の内側電極）、２３…主面外側電極（第１の外側電極）、３２…裏面内側電極（第２の内側電極）、３３…裏面外側電極（第２の外側電極）、Ｃ１，Ｃ２…コンデンサ、３９…ジャンパ線、２３ａ…面取り部（第３の面取り部）、３３ａ…面取り部（第４の面取り部）、２３ｂ…面取り部（第１の面取り部）、３３ｂ…面取り部（第２の面取り部）。
【図１】
2017187976.tif 000003
【図２】
2017187976.tif 000004
【図３】
2017187976.tif 000005
【図４】
2017187976.tif 000006
【図５】
2017187976.tif 000007
【図６】
2017187976.tif 000008
【図７】
2017187976.tif 000009
【図８】
2017187976.tif 000010